(57)【要約】【課題】鋼材製のトラスを所定のトラス間隔で配置していく場合に、トラス間隔の調整作業の容易化及び作業時間の短縮化の両立を図ることができる位置決め金物を得る。【解決手段】対向する屋根トラス１０の下弦材２６間には、一対のトラス繋ぎ材４２及び面材４４によって構成されたトラス足場兼用繋ぎ材４０が架け渡されている。ウェブ４２Ａの長さはトラス間隔ｔに略一致されており、ウェブ４２Ａを対向する下弦材２６間に挿入し、両端部の折り曲げ部４２Ｅ、４２Ｆを下弦材２６の上面に係止させることにより、トラス間隔がｔに調整されるようになっている。【選択図】図１
2009174121.tif 000002
【特許請求の範囲】
【請求項１】
鋼材で構成されたトラス上弦材及びトラス下弦材を含んで構成された複数のトラスを、相互に対向するように所定のトラス間隔で配置しかつトラス設置面に固定していく場合に適用される位置決め金物であって、
対向する一対のトラス上弦材間又はトラス下弦材間に架け渡される長さを有すると共に、対向する一対のトラス上弦材又はトラス下弦材を一組として装着される位置決め金物本体と、
この位置決め金物本体の両端部にそれぞれ一体的に設けられると共にトラス上弦材又はトラス下弦材の両側面に当接係止され、当該両側面に当接係止されることにより対向する一対のトラスのトラス間隔を予め設定したトラス間隔に一致させる係止手段と、
を有することを特徴とする位置決め金物。
【請求項２】
前記位置決め金物は対向するトラス上弦材同士を繋ぐトラス上弦材用繋ぎ材であり、
かつ前記係止手段はトラスの倒れ方向の回転変位を拘束するトラス回転拘束手段を併せ持った構造とされている、
ことを特徴とする請求項１記載の位置決め金物。
【請求項３】
前記位置決め金物は対向するトラス上弦材同士を繋ぐトラス上弦材用繋ぎ材であり、
かつ隣り合うトラス上弦材用繋ぎ材の接続端部同士を同一平面上で嵌合させることにより複数のトラス上弦材用繋ぎ材をトラス配列方向に連続して配置した、
ことを特徴とする請求項１記載の位置決め金物。
【請求項４】
トラス間隔に略一致する幅方向寸法を有すると共にトラス上弦材の辺長に略一致する長手方向寸法を有し、かつ対向する一対のトラス上弦材間に架け渡された状態で固定される屋根面材であって、
上縁側及び下縁側の少なくとも一方に請求項１〜請求項３のいずれか１項に記載の位置決め金物を一体的に設けた、
ことを特徴とする屋根面材。
【請求項５】
前記位置決め金物は対向するトラス下弦材同士を繋ぐ複数のトラス下弦材用繋ぎ材であり、
かつ当該複数のトラス下弦材用繋ぎ材の上面間には面材が架け渡されて固定されている、
ことを特徴とする請求項１記載の位置決め金物。
【請求項６】
前記トラス下弦材用繋ぎ材は、対向するトラス下弦材の対向側面間の距離に相当する長さを有する梁部と、この梁部の長手方向の両端部に一体に形成されると共にトラス下弦材に上方側から被嵌されてトラス下弦材の前記対向側面と反対側の側面に係止される係止部と、を含んで構成されている、
ことを特徴とする請求項５記載の位置決め金物。
【請求項７】
前記梁部の梁成はトラス下弦材の梁成よりも高く設定されており、トラス下弦材用繋ぎ材の装着状態では、梁部の下フランジがトラス下弦材の下フランジよりも下方へ突出した状態で配置されている、
ことを特徴とする請求項６記載の位置決め金物。
【請求項８】
前記梁部の下フランジには、トラス下方側に離間して配置されかつ上面に断熱材が配設された天井面材が支持されている、
ことを特徴とする請求項７記載の位置決め金物。
【請求項９】
前記トラス下弦材用繋ぎ材及び前記面材の少なくとも一方には、トラスの転び止め金物が設けられている、
ことを特徴とする請求項５〜請求項８のいずれか１項に記載の位置決め金物。
【発明の詳細な説明】
【技術分野】
【０００１】
本発明は、トラスに適用される位置決め金物及びこれを用いた屋根面材に関する。
【背景技術】
【０００２】
枠組壁工法で建物本体を構築した後、屋根トラスを所定の間隔で配置して小屋組を完成させていく場合、最初に屋根トラスを受金物に仮置きしてから転び止めを設置して屋根トラスの倒れを防止し、次いで屋根トラスのトラス間隔を調整してから屋根トラスを本固定する。
【０００３】
しかしながら、上記従来の手法による場合、屋根トラスを受金物に仮置きしてから転び止めを設置する作業や屋根トラスのトラス間隔の寸法調整に手間がかかり、作業効率が低下するという課題があった。
【０００４】
この課題に対し、幾つかの先行技術が提案されている。
【０００５】
例えば、下記特許文献１には、断面山形に形成された長尺状の棟金物にトラス間隔ごとに係合孔又はスリットを形成すると共に、屋根トラスの上弦材に係合突起を設け又は棟束の上端部に固定されたガセットの上端突出部を設けておき、係合突起又は上端突出部に係合孔又はスリットを被嵌させることにより、複数のトラスをトラス間隔ごとに保持する技術が開示されている。また、棟金物にトラス間隔ごとに切り起こしによる一対の係合突起を形成し、これらの係合突起間にトラスの上弦材を挟持させることにより、複数のトラスをトラス間隔ごとに保持する技術も開示されている。
【０００６】
しかしながら、すべてのトラスを連結可能な長さを有する長尺状の棟金物に対し、個々のトラスを位置決めしていく必要があるため、「一（棟金物）  対  多（すべてのトラス）」の関係で位置決め作業をしなければならない。すなわち、作業手順としては、すべてのトラスを先に仮固定し、その後に棟金物によるトラス間隔の調整作業をすることになる。このため、棟金物を装着するまでの間、すべてのトラスを垂直に仮保持しなければならず、慎重な作業が求められる。
【０００７】
また例えば、下記特許文献２には、隣り合うトラスの上弦材間に細長いトラス保持金物を架け渡すことにより、トラス間隔を調整する技術が開示されている。具体的には、トラス保持金物の長手方向の両端部には鉤状の爪が形成されており、これらの爪を隣り合うトラスの上弦材の側面に係止させる。この状態ではトラスの爪と離間する方向の規制がないため、トラス保持金物に一体形成されたネイル釘をトラス上弦材に打ち込むことにより、トラスの倒れ方向の変位を拘束するようになっている。
【０００８】
しかしながら、この先行技術による場合、すべてのトラス保持金具に対してネイル釘の打ち込み作業を行わなければならないので、作業時間がかかる。また、木製のトラスの上弦材にネイル釘を打ち込むことを前提としているため、鋼材を使って構成されたトラスには不向きである。
【特許文献１】特開２００７−２６２７２６号公報
【特許文献２】実公平７−１３８５号公報
【特許文献３】特開平６−１６７０７１号公報
【特許文献４】特開１０−３２５２２９号公報
【発明の開示】
【発明が解決しようとする課題】
【０００９】
本発明は上記事実を考慮し、鋼材製のトラスを所定のトラス間隔で配置していく場合に、トラス間隔の調整作業の容易化及び作業時間の短縮化の両立を図ることができる位置決め金物及びこれを用いた屋根面材を得ることが目的である。
【課題を解決するための手段】
【００１０】
請求項１の発明は、鋼材で構成されたトラス上弦材及びトラス下弦材を含んで構成された複数のトラスを、相互に対向するように所定のトラス間隔で配置しかつトラス設置面に固定していく場合に適用される位置決め金物であって、対向する一対のトラス上弦材間又はトラス下弦材間に架け渡される長さを有すると共に、対向する一対のトラス上弦材又はトラス下弦材を一組として装着される位置決め金物本体と、この位置決め金物本体の両端部にそれぞれ一体的に設けられると共にトラス上弦材又はトラス下弦材の両側面に当接係止され、当該両側面に当接係止されることにより対向する一対のトラスのトラス間隔を予め設定したトラス間隔に一致させる係止手段と、を有することを特徴とする。
【００１１】
請求項２の発明は、請求項１記載の位置決め金物において、前記位置決め金物は対向するトラス上弦材同士を繋ぐトラス上弦材用繋ぎ材であり、かつ前記係止手段はトラスの倒れ方向の回転変位を拘束するトラス回転拘束手段を併せ持った構造とされている、ことを特徴とする。
【００１２】
請求項３の発明は、請求項１記載の位置決め金物において、前記位置決め金物は対向するトラス上弦材同士を繋ぐトラス上弦材用繋ぎ材であり、かつ隣り合うトラス上弦材用繋ぎ材の接続端部同士を同一平面上で嵌合させることにより複数のトラス上弦材用繋ぎ材をトラス配列方向に連続して配置した、ことを特徴とする。
【００１３】
請求項４の発明に係る屋根面材は、トラス間隔に略一致する幅方向寸法を有すると共にトラス上弦材の辺長に略一致する長手方向寸法を有し、かつ対向する一対のトラス上弦材間に架け渡された状態で固定される屋根面材であって、上縁側及び下縁側の少なくとも一方に請求項１〜請求項３のいずれか１項に記載の位置決め金物を一体的に設けた、ことを特徴とする。
【００１４】
請求項５の発明は、請求項１記載の位置決め金物において、前記位置決め金物は対向するトラス下弦材同士を繋ぐトラス下弦材用繋ぎ材であり、かつ当該複数のトラス下弦材用繋ぎ材の上面間には面材が架け渡されて固定されている、ことを特徴とする。
【００１５】
請求項６の発明は、請求項５記載の位置決め金物において、前記トラス下弦材用繋ぎ材は、対向するトラス下弦材の対向側面間の距離に相当する長さを有する梁部と、この梁部の長手方向の両端部に一体に形成されると共にトラス下弦材に上方側から被嵌されてトラス下弦材の前記対向側面と反対側の側面に係止される係止部と、を含んで構成されている、ことを特徴とする。
【００１６】
請求項７の発明は、請求項６記載の位置決め金物において、前記梁部の梁成はトラス下弦材の梁成よりも高く設定されており、トラス下弦材用繋ぎ材の装着状態では、梁部の下フランジがトラス下弦材の下フランジよりも下方へ突出した状態で配置されている、ことを特徴とする。
【００１７】
請求項８の発明は、請求項７記載の位置決め金物において、前記梁部の下フランジには、トラス下方側に離間して配置されかつ上面に断熱材が配設された天井面材が支持されている、ことを特徴とする。
【００１８】
請求項９の発明は、請求項５〜請求項８のいずれか１項に記載の位置決め金物において、前記トラス下弦材用繋ぎ材及び前記面材の少なくとも一方には、トラスの転び止め金物が設けられている、ことを特徴とする。
【００１９】
請求項１記載の本発明によれば、対向する一対のトラス上弦材又はトラス下弦材を一組として位置決め金物が装着される。この位置決め金物は、対向する一対のトラス上弦材間又はトラス下弦材間に架け渡される長さを有しており、その両端部にそれぞれ一体的に設けられた係止手段をトラス上弦材又はトラス下弦材の両側面に当接係止させると、対向する一対のトラス間隔が予め設定されたトラス間隔に一致される。これにより、対向する一対のトラスのトラス間隔がワンタッチ操作で調整される。残りのトラスのトラス間隔についても同じ手法で調整される。
【００２０】
特に前述した先行技術のようにトラス上弦材ごとにネイル釘の打ち込み作業を行う必要はないので、作業時間が短縮化される。また、前述した別の先行技術のように、すべてのトラスに対して一部品で構成された棟金物を同時に装着する必要もないので、簡単にトラス間隔の調整作業を行うことができる。
【００２１】
請求項２記載の本発明によれば、位置決め金物は、対向するトラス上弦材同士を繋ぐトラス上弦材用繋ぎ材とされている。さらに、トラス上弦材用繋ぎ材の両端部にそれぞれ設けられた係止手段が、トラスの倒れ方向の回転変位を拘束するトラス回転拘束手段を併せ持った構造とされているため、トラス上弦材用繋ぎ材の両端部の係止手段をトラス上弦材に係止させると、対向する一対のトラスのトラス間隔が予め設定したトラス間隔に一致されるだけでなく、トラスの倒れが規制される。
【００２２】
請求項３記載の本発明によれば、位置決め金物は、対向するトラス上弦材同士を繋ぐトラス上弦材用繋ぎ材とされている。さらに、隣り合うトラス上弦材用繋ぎ材の接続端部同士を同一平面上で嵌合させることにより、複数のトラス上弦材用繋ぎ材をトラス配列方向に連続して配置したので、トラス上弦材用繋ぎ材を装着したことによる不陸が生じない。このため、屋根面材が取り付けられた際に屋根面材に不陸による応力集中が生じ難い。
【００２３】
また、トラス上弦材用繋ぎ材が不連続に配置される場合（例えば、互い違いにトラス上弦材用繋ぎ材を配置していく場合）には、トラス上弦材の同一位置でトラス間隔を調整することはできないが、本発明によれば、複数のトラス上弦材用繋ぎ材がトラス配列方向に連続して配置されるため、トラス上弦材の同一位置でトラス間隔を調整することができる。
【００２４】
請求項４記載の本発明によれば、トラス間隔及びトラス上弦材の辺長に略合致する大きさの屋根面材の上縁側及び下縁側の少なくとも一方に請求項１〜請求項３のいずれか１項に記載された位置決め金物を一体的に設けたので、屋根面材にトラス上弦材への装着機能を付加することができる。このため、屋根面材を只の板材ではなく、付加価値のあるパネル材（パネル化）にすることができる。
【００２５】
請求項５記載の本発明によれば、位置決め金物は、対向するトラス下弦材同士を繋ぐ複数のトラス下弦材用繋ぎ材とされている。さらに、当該複数のトラス下弦材用繋ぎ材の上面間には面材が架け渡されて固定されているので、施工時にこの面材を作業用の足場として使うことができる。また、施工後にこの面材を天井下地等として利用することも可能になる。
【００２６】
請求項６記載の本発明によれば、トラス下弦材用繋ぎ材を対向するトラス下弦材間に装着する場合、梁部をトラス下弦材の対向側面間に上方から挿入すればよい。このとき、梁部の長手方向の両端部に一体に形成された係止部が、トラス下弦材の対向側面と反対側の側面に係止される。これにより、係止部と梁部の長手方向の端部とでトラス下弦材を上方から挟み込むことが可能になり、トラス間隔を容易に調整することができる。
【００２７】
請求項７記載の本発明によれば、梁部の梁成がトラス下弦材の梁成よりも高く設定されており、トラス下弦材用繋ぎ材の装着状態では、梁部の下フランジがトラス下弦材の下フランジよりも下方へ突出した状態で配置されるため、下フランジを天井の下地として使うことができる。
【００２８】
請求項８記載の本発明によれば、梁部の下フランジには、トラス下方側に離間して配置された天井面材が支持されており、この天井面材の上面に断熱材が配設される。換言すれば、上面に断熱材が配設された天井面材を梁部の下フランジに支持させることができる。
【００２９】
請求項９記載の本発明によれば、トラス下弦材用繋ぎ材及び面材の少なくとも一方にトラスの転び止め金物が設けられているので、トラスがより倒れ難くなる。
【発明の効果】
【００３０】
以上説明したように、請求項１記載の本発明に係る位置決め金物は、鋼材製のトラスを所定のトラス間隔で配置していく場合に、トラス間隔の調整作業の容易化及び作業時間の短縮化の両立を図ることができるという優れた効果を有する。
【００３１】
請求項２記載の本発明に係る位置決め金物は、トラス間隔の調整作業の容易化及び作業時間の短縮化の両立に加えて、トラスの倒れ抑制又は防止効果が得られるという優れた効果を有する。
【００３２】
請求項３記載の本発明に係る位置決め金物は、屋根面材の耐久性を損なわず、しかもトラス間隔の位置決め精度を向上させることができるという優れた効果を有する。
【００３３】
請求項４記載の本発明に係る屋根面材は、対向して配置される一対のトラスのトラス上弦材間に跨る屋根パネルを形成することができ、その結果、工場生産による生産性向上及び品質管理性の向上並びに建築地での施工作業の容易化による施工性の向上、工期短縮を図ることができるという優れた効果を有する。
【００３４】
請求項５記載の本発明に係る位置決め金物は、トラス間隔の調整作業の容易化及び作業時間の短縮化の両立に加えて、施工効率の向上及び安全性の向上を図ることができると共に面材を天井下地等として活用することもできるという優れた効果を有する。
【００３５】
請求項６記載の本発明に係る位置決め金物は、トラス間隔の調整作業を簡単に行うことができ、トラス間隔の調整作業の作業時間をより一層短縮することができるという優れた効果を有する。
【００３６】
請求項７記載の本発明に係る位置決め金物は、天井下地の吊りハンガーを廃止することができるという優れた効果を有する。
【００３７】
請求項８記載の本発明に係る位置決め金物は、断熱材と天井面材とを一緒にトラス下弦材用繋ぎ材の梁部に支持させることができるという優れた効果を有する。
【００３８】
請求項９記載の本発明に係る位置決め金物は、トラスの倒れを効果的に防ぐことができるという優れた効果を有する。
【発明を実施するための最良の形態】
【００３９】
〔第１実施形態〕
【００４０】
以下、図１〜図５を用いて、本発明に係る位置決め金物及びこれを用いた屋根面材の第１実施形態について説明する。
【００４１】
図１には、位置決め金物をトラスの下弦材間に装着する前の状態が示されている。また、図２には、位置決め金物がトラスの下弦材間に装着された状態が示されている。さらに、図３には、図２の３−３線に沿った縦断面図が示されている。
【００４２】
これらの図に示されるように、屋根トラス１０は二等辺三角形状に構成されており、建物１２の外壁を構成する左右の壁パネル１４の上端部間に所定の間隔で複数個架け渡されて接合されることにより、建物１２の屋根組１６の骨組を構成している。なお、壁パネル１４は、パネルの上端部及び下端部に水平かつ平行に配置された上下一対の上枠ランナー１８及び下枠ランナー（図示省略）と、これらの上枠ランナー１８及び下枠ランナー間に架け渡されて上枠ランナー１８の長手方向に所定の間隔で垂直に配置された複数本のスタッド２０と、これらの構造材の外側面（屋外側の面）に取り付けられた合板２１と、これらの構造材の内側面（屋内側の面）に取り付けられたプラスターボード（図示省略）と、を含んで構成されている。なお、上枠ランナー１８及び下枠ランナーは溝形鋼によって構成されており、スタッド２０はリップ付き溝形鋼によって構成されている。但し、鋼材の断面形状はこれに限定されない。
【００４３】
上述した壁パネル１４の上枠ランナー１８上には頭つなぎ２２が配置されており、この頭つなぎ２２に平面視で直交するように屋根トラス１０の端部側が接合されている。屋根トラス１０は斜辺側に上弦材２４が配置されており、又屋根トラス１０の底辺側には下弦材２６が配置されている。なお、上弦材２４及び下弦材２６はいずれもリップ付き溝形鋼によって構成されている。下弦材２６の長手方向の端部は頭つなぎ２２の上面に載置されており、上弦材２４は下弦材２６の長手方向の端部の上を通って壁パネル１４よりも外側（屋外側）へ張り出されている。なお、頭つなぎ２２の上面が本発明における「トラス設置面」に相当する。
【００４４】
上述した上弦材２４の長手方向の端部の手前部分と下弦材２６の長手方向の端部とは上下に対向して配置されており、両者は一対のガセットプレート２８によって接合されている。ガセットプレート２８は平板で形成されており、屋根トラス１０の正面側から見ると台形状をなしている。さらに、上弦材２４と下弦材２６とは、複数の束材３０によって上下に連結されている。なお、束材３０も、リップ付き溝形鋼によって構成されている。
【００４５】
また、屋根トラス１０の長手方向の端部側は、図示しないあおり止め金物によって壁パネル１４の上端部に接合されている。これにより、風によって屋根トラス１０が倒れ方向へ傾くのを規制している。
【００４６】
ここで、図１に示されるように、上述した屋根トラス１０は、所定のトラス間隔ｔで複数個立設されている。そして、対向する一対の屋根トラス１０の下弦材２６間には、トラス足場兼用トラス繋ぎ材４０が架け渡されており、以下に詳細に説明する。
【００４７】
このトラス足場兼用トラス繋ぎ材４０は、下弦材２６に対して直交する方向を長手方向として平行に配置された位置決め金物及びトラス下弦材用繋ぎ材としての一対のトラス繋ぎ材４２と、これらのトラス繋ぎ材４２の上面間に架け渡された面材４４と、によって構成されている。
【００４８】
トラス繋ぎ材４２はリップ付き溝形鋼をベースにして形成されており、ウェブ４２Ａと、ウェブ４２Ａの上縁及び下縁から同方向に折り曲げられた一対の上フランジ４２Ｂ及び下フランジ４２Ｃと、上フランジ４２Ｂ、下フランジ４２Ｃの先端部から互いに接近する方向へ折り曲げられた上リップ（図示省略）及び下リップ４２Ｄと、上フランジ４２Ｂの長手方向の両端部からそれぞれ張り出された一対の張り出し部４２Ｅと、各張り出し部４２Ｅの先端部からそれぞれ屈曲垂下された一対の折り曲げ部４２Ｆと、によって構成されている。なお、ウェブ４２Ａと上下一対の上フランジ４２Ｂ及び下フランジ４２Ｃとが本発明における梁部に相当し、折り曲げ部４２Ｆ及び後述するウェブ４２Ａの長手方向の一方の端部４２Ａ１、他方の端部４２Ａ２が係止部に相当する。
【００４９】
上記ウェブ４２Ａの長手方向寸法Ｌはトラス間隔ｔに略一致されている。また、ウェブ４２Ａの梁成Ｈは下弦材２６の梁成ｈよりも高く設定されている。さらに、上フランジ４２Ｂ及び一対の張り出し部４２Ｅを足した長さＭは、対向する下弦材２６の外側面間の距離Ｔに略一致されている。従って、張り出し部４２Ｅの長さは、下弦材２６の上フランジ２６Ａの長さに略一致されている。また、面材４４のトラス配列方向（頭つなぎ２２の長手方向）の長さは、ウェブ４２Ａの長手方向寸法Ｌに略一致されている。
【００５０】
図３に示されるように、上記構成のトラス繋ぎ材４２の両端部の折り曲げ部４２Ｆが対向する下弦材２６の上フランジ４２Ｂに係止された状態では、下フランジ４２Ｃが下弦材２６の下フランジ２６Ｂよりも下方に配置されている。この下フランジ２６Ｂに、複数の野縁４８を介して天井面材４４が吊り下げ状態で支持されている。なお、天井面材４４上には、断熱材４８が敷設されている。
【００５１】
（作用・効果）
【００５２】
次に、本実施形態の作用並びに効果について説明する。
【００５３】
壁パネル１４が設置された後にクレーンで屋根トラス１０が吊り込まれて、左右の壁パネル１４の上端部の頭つなぎ２２間に架け渡されるように据え付けられる。最初の屋根トラス１０が設置された後に２個目の屋根トラス１０を所定のトラス間隔をあけて同様にして据付けられる。
【００５４】
このとき、本実施形態では、以下の如くして、対向する屋根トラス１０のトラス間隔が予め決められたトラス間隔ｔに調整される。
【００５５】
まず、２個の屋根トラス１０が対向して配置された後、図２に示されるように、双方の下弦材２６間にトラス足場兼用トラス繋ぎ材４０が架け渡される。すなわち、対向する一対の下弦材２６を一組としてトラス足場兼用トラス繋ぎ材４０が装着される。
【００５６】
具体的には、一対のトラス繋ぎ材４２を対向する下弦材２６の対向面間の隙間に挿入させながら、各トラス繋ぎ材４２の両端部に設けられた一対の張り出し部４２Ｅを下弦材２６の上方から下弦材２６の上フランジ２６Ａにそれぞれ載せると共に、一対の折り曲げ部４２Ｆをウェブ２６Ｃに係止させる。一対の折り曲げ部４２Ｆが一対の下弦材２６のウェブ２６Ｃの外側面に係止された状態では、トラス繋ぎ材４２のウェブ４２Ａの長手方向の一方の端部４２Ａ１が一方の下弦材２６の上リップ及び下リップに当接し、対応する折り曲げ部４２Ｆとの間に一方の下弦材２６が略挟持された状態となる。同様に、トラス繋ぎ材４２の他方の端部４２Ａ２が他方の下弦材２６のウェブ４２Ａに当接し、対応する折り曲げ部４２Ｆとの間に他方の下弦材２６が略挟持された状態となる。
【００５７】
逆に言えば、このように一対のトラス繋ぎ材４２の各両端部が対向する下弦材２６に係止されるように、各屋根トラス１０の位置が調整される。そして、トラス足場兼用トラス繋ぎ材４０が対向する下弦材２６間に完全に装着された状態では、２個の屋根トラス１０の間隔は所定のトラス間隔ｔに一致される。これにより、対向する一対の屋根トラス１０の間隔が所定のトラス間隔ｔにワンタッチ操作で調整される。残りの屋根トラス１０のトラス間隔についても同じ手法で調整される。
【００５８】
特に、本実施形態によれば、前述した先行技術のようにトラス上弦材ごとにネイル釘の打ち込み作業を行う必要はないので、トラス間隔の調整作業の作業時間が短縮化される。また、前述した別の先行技術のように、すべてのトラスに対して一部品で構成された棟金物を同時に装着する必要もないので、簡単にトラス間隔の調整作業を行うことができる。
【００５９】
以上より、本実施形態に係るトラス足場兼用トラス繋ぎ材４０を用いれば、鋼材製の屋根トラス１０を所定のトラス間隔ｔで配置していく場合に、トラス間隔ｔの調整作業の容易化及び作業時間の短縮化の両立を図ることができる。
【００６０】
また、本実施形態に係るトラス足場兼用トラス繋ぎ材４０では、一対のトラス繋ぎ材４２の上面間に面材４４が架け渡されているので、施工時にこの面材４４を作業用の足場として使うことができる。その結果、本実施形態によれば、トラス間隔の調整作業の容易化及び作業時間の短縮化の両立に加えて、施工効率の向上及び安全性の向上を図ることができる。
【００６１】
上記効果を図４に示される対比例との関係で以下に補足説明する。図４には、一方の屋根トラス１０の下弦材２６に、溝形鋼によって構成されたトラス繋ぎ材５０の基端部５０Ａをリベット５２で回転可能に軸支させた構成が示されている。この対比例の場合、工場でトラス繋ぎ材５０の基端部５０Ａをリベット５２で軸支させた後、これをリベット５２回りに回動させて下弦材２６に被せて収納状態とし、建築地まで輸送する。そして、この屋根トラス１０とこれに隣り合う屋根トラス１０とを設置した後、トラス繋ぎ材５０をリベット５２回りに回動させて、先端部を他方の屋根トラス１０の下弦材２６にリベット５４で接合する。
【００６２】
この対比例の場合、施工時（トラス組みの際）にトラス繋ぎ材５０の先端部を他方の屋根トラス１０の下弦材２６にリベット５４で接合する作業が必要となるが、足場がないため、作業性が悪い。しかし、本実施形態によれば、面材４４が足場となるので、作業性が良く、安全性も向上される。
【００６３】
なお、この対比例の場合、トラス繋ぎ材５０を下弦材２６に被せて工場から建築地へ輸送する関係で、屋根トラス１０の斜材や束材３０を避けてトラス繋ぎ材５０を配置する必要があり、そのため屋根トラス１０の生産設計をする際に手間がかかる不利があるが、本実施形態によれば、トラス足場兼用トラス繋ぎ材４０は屋根トラス１０の下弦材２６に対して着脱可能であるため、屋根トラス１０の生産設計に影響を与えることがないという利点もある。
【００６４】
また、上記の面材４４は施工時に足場となるだけでなく、施工後には面材４４を天井下地や小屋裏収納の床等として活用することもできる
【００６５】
さらに、本実施形態に係るトラス足場兼用トラス繋ぎ材４０では、トラス繋ぎ材４２の折り曲げ部４２Ｆを対向する屋根トラス１０の下弦材２６に上方から係止させるだけで、屋根トラス１０の位置決めを行うことができる。従って、屋根トラス１０のトラス間隔を容易に調整することができ、ひいてはトラス間隔の調整作業の作業時間をより一層短縮することができる。
【００６６】
また、本実施形態に係るトラス足場兼用トラス繋ぎ材４０では、トラス繋ぎ材４２のウェブ４２Ａの梁成Ｈを係止相手となる下弦材２６の梁成ｈよりも高くしているので、即ち、トラス繋ぎ材４２のウェブ４２Ａを下方へ延ばして下フランジ４２Ｃの位置を下げたので、トラス足場兼用トラス繋ぎ材４０が装着された状態では、トラス繋ぎ材４２の下フランジ４２Ｃが下弦材２６の下フランジ２６Ｂよりも下方に突出した状態で配置されるため、下フランジ４２Ｃに天井面材５６を支持させることができる。このため、従来使用されていた天井下地の吊りハンガーを廃止することができる。
【００６７】
なお、参考までに、図５に従来の吊りハンガー５８を示した。従来は、下弦材６０に吊りハンガー５８をブラケット６２を介して固定し、吊りハンガー５８に支持された野縁受け６４に野縁６６を介して天井面材５６を支持していた。本実施形態によれば、この吊りハンガー５８が不要になる。
【００６８】
さらに、このように構成することにより、天井面材４４と併せて断熱材４８も支持することができるので、納まりも非常に良くなる。
【００６９】
〔第２実施形態〕
【００７０】
以下、図６〜図８を用いて、本発明に係る位置決め金物の第２実施形態について説明する。なお、前述した第１実施形態と同一構成部分については、同一番号を付してその説明を省略する。
【００７１】
この第２実施形態では、第１実施形態で説明したトラス足場兼用トラス繋ぎ材４０に、屋根トラス１０の転び止め手段を設けた点に特徴がある。
【００７２】
図６及び図７に示される例では、一対のトラス足場兼用トラス繋ぎ材４０の上面に架け渡された面材４４の縁部近傍に長孔７０が形成されており、この長孔７０にアングル状の転び止め手段としての転び止め金物７２が蝶ねじ７４で取り付けられている。転び止め金物７２の基部７２Ａの中央には蝶ねじ７４が挿通され、この蝶ねじ７４が長孔７０を貫通した状態でねじ止めされることで、転び止め金物７２が長孔７０の所定位置で固定されている。また、転び止め金物７２の立ち上がり部７２Ｂは面材４４の端縁から垂直に立ち上がり、束材３０に面接触状態で当接されている。そして、立ち上がり部７２Ｂは、ボルト７６及びナットで束材３０に固定されている。なお、基部７２Ａと立ち上がり部７２Ｂは直角三角形状のリブ７２Ｃで補強されている。
【００７３】
（作用・効果）
【００７４】
上記構成によれば、一対のトラス足場兼用トラス繋ぎ材４０を対向する下弦材２６に架け渡してトラス間隔を調整した後、蝶ねじ７４を緩め、転び止め金物７２を長孔７０に沿ってスライドさせ束材３０に添わせる。そして、蝶ねじ７４を締めて基部７２Ａを固定してから、ボルト７６及びナットで立ち上がり部７２Ｂを束材３０に固定する。これにより、屋根トラス１０の転び止めがなされ、屋根トラス１０は倒れ難くなる。よって、屋根トラス１０の倒れを効果的に防ぐことができる。
【００７５】
特に、上記例では、転び止め金物７２をスライド機構によって面材４４に対してスライド可能に配設したので、束材３０に対する位置調整が容易であるというメリットがある。
【００７６】
なお、図６及び図７に示される例に替えて、図８に示される転び止め８０を用いてもよい。この転び止め８０は伸縮可能な棒状に構成されており、両端部にはフック８２、８４が設けられている。両フック８２、８４は、トラス足場兼用トラス繋ぎ材４０の側部に立設されたピン８６、８８に係止されている。なお、一方のフック８２はピン８６に対して取外し可能に係止されていてもよいし、環状に形成して取り外し不能に軸支されるようにしてもよい。また、他方のフック８４は束材３０の側面に立設されたピン８９に係止可能とされている。さらに、転び止め８０の内部には図示しないロック機構及び節度機構が配設されており、一方の筒８０Ａに対して他方の筒８０Ｂを所定ピッチで引き出すことができるようになっている。
【００７７】
上記構成によれば、一対のトラス足場兼用トラス繋ぎ材４０を対向する下弦材２６に架け渡してトラス間隔を調整した後、他方のフック８４をピン８８から外し、図示しないロック機構によるロック状態を解除し、他方の筒８０Ｂを一方の筒８０Ａから伸長させて、他方のフック８４を束材３０の側面に立設されたピン８９に係止させればよい。この伸長状態でロック機構のロック状態が復帰することで、転び止め８０から手を離すと、一本の剛体の棒状部材となり、屋根トラス１０の倒れ方向への変位に対し抗力を発揮する。従って、図６及び図７に示される例と同様の作用・効果が得られる。
【００７８】
なお、この転び止め８０は伸縮可能に構成されていたが、これに限らず、転び止めを伸縮しない棒状部材で構成してもよい。
【００７９】
また、トラス足場兼用トラス繋ぎ材４０及び面材４４の両方に転び止め手段を設けてもよい。
【００８０】
〔第３実施形態〕
【００８１】
以下、図９〜図１１を用いて、本発明に係る位置決め金物及びこれを用いた屋根面材の第３実施形態について説明する。なお、前述した第１実施形態と同一構成部分については、同一番号を付してその説明を省略する。
【００８２】
これらの図に示されるように、この第３実施形態では、隣り合う屋根トラス１０の上弦材２４間に位置決め金物１００が架け渡されてトラス間隔が調整されている点に特徴がある。
【００８３】
詳細には、位置決め金物１００は、溝方鋼より成り、長手方向寸法がトラス間隔ｔに略一致された本体部１００Ａと、この本体部１００Ａの両端部から互いに離間する方向でかつ互い違いに突出された一対の張り出し部１００Ｂ、１００Ｃと、各張り出し部１００Ｂ、１００Ｃの先端部を折り曲げて形成した折り曲げ部１００Ｄ、１００Ｅと、折り曲げ部１００Ｄ、１００Ｅの先端部を更に内側に折り返して形成した返し部１００Ｆ（図９も参照）、１００Ｇと、張り出し部１００Ｂ、１００Ｃ側に位置するフランジの先端部を張り出し部１００Ｂ、１００Ｃから離間する方向へ折り曲げて形成したトラス回転拘束手段としての倒れ防止片１００Ｈ、１００Ｉと、によって構成されている。
【００８４】
張り出し部１００Ｂ、１００Ｃの長さは上弦材２４の上フランジ２４Ｂの幅に略一致されており、折り曲げ部１００Ｄ、１００Ｅを上弦材２４の上リップ２４Ｄ、ウェブ２４Ａに係止させると、倒れ防止片１００Ｈ及びこれに上弦材長手方向に隣接する位置決め金物１００の他方の折り曲げ部１００Ｅが上弦材２４のウェブ２４Ａに当接するようになっている。反対側の倒れ防止片１００Ｉも同様である。
【００８５】
さらに、張り出し部１００Ｂ、１００Ｃの幅方向寸法は本体部１００Ａの幅方向寸法の１／２に設定されている。これにより、位置決め金物１００は回転対称形状となり、一方の張り出し部１００Ｂの隣に別の位置決め金物１００の他方の張り出し部１００Ｃに嵌合可能となっている。
【００８６】
（作用・効果）
【００８７】
上記構成によれば、屋根トラス１０を吊り込んだ後、対向する屋根トラス１０の上弦材２４間に上方側から位置決め金物１００を架け渡す。このとき、本体部１００Ａの両端に形成された一対の張り出し部１００Ｂ、１００Ｃを上弦材２４の上フランジ２４Ｂに載置させ、一対の折り曲げ部１００Ｄ、１００Ｅを上弦材２４の上リップ２４Ｄ、ウェブ２４Ａに係止させる。なお、折り曲げ部１００Ｄ、１００Ｅには返し部１００Ｆ、１００Ｇが形成されているため、折り曲げ部１００Ｄ、１００Ｅを上リップ２４Ｄ、ウェブ２４Ａに沿って摺動させながら、返し部１００Ｆについては上リップ２４Ｄに係止させる。また、このとき、倒れ防止片１００Ｈ、１００Ｉ及び隣接する位置決め金物１００の他方の折り曲げ部１００Ｅが、上弦材２４のウェブ２４Ａ、上リップ２４Ｄに当接されるようにする。これにより、対向する屋根トラス１０間のトラス間隔がｔに調整される。従って、前述した第１実施形態と同様に、鋼材製の屋根トラス１０を所定のトラス間隔ｔで配置していく場合に、トラス間隔ｔの調整作業の容易化及び作業時間の短縮化の両立を図ることができる。
【００８８】
また、本実施形態に係る位置決め金物１００には倒れ防止片１００Ｈ、１００Ｉが本体部１００Ａに一体に形成されているため、位置決め金物１００の装着後の状態では、倒れ防止片１００Ｈ、１００Ｉが屋根トラス１０の上弦材２４のウェブ２４Ａ及び上リップ２４Ｄに挟み込むように当接し、屋根トラス１０の倒れ方向への変位を規制する。その結果、本実施形態によれば、トラス間隔の調整作業の容易化及び作業時間の短縮化の両立に加えて、屋根トラス１０が倒れ方向へ変位するのを抑制又は防止することができる。なお、屋根トラス１０の倒れ防止には、折り曲げ部１００Ｄ、１００Ｅも寄与している。
【００８９】
さらに、本実施形態に係る位置決め金物１００は回転対称形状に形成されており、一方の位置決め金物１００の張り出し部１００Ｂの隣の切欠部分に他方の位置決め金物１００の張り出し部１００Ｃを嵌合させることにより、複数の位置決め金物１００を同一平面内でトラス配列方向に連続して配置することができる。このため、位置決め金物１００を屋根トラス１０の上弦材２４間に架け渡したことによる不陸が生じない。従って、矩形平板状の屋根面材が取り付けられた際に、当該屋根面材に不陸による応力集中が生じ難い。その結果、本実施形態によれば、屋根面材の耐久性を良好に維持することができる（損なわない）。
【００９０】
また、位置決め金物１００が不連続に配置される場合（例えば、互い違いに位置決め金物（トラス上弦材用繋ぎ材）を配置していく場合）には、上弦材２４の同一位置でトラス間隔を調整することはできないが、本実施形態によれば、複数の位置決め金物１００がトラス配列方向に連続して配置されるため、上弦材２４の同一位置でトラス間隔を調整することができる。よって、本実施形態によれば、トラス間隔の位置決め精度を向上させることができる。
【００９１】
さらに、図１１に示されるように、屋根面材１０２の上端部及び下端部近傍に上記構成の位置決め金物１００をそれぞれ予め一体的に装着しておくことにより、屋根面材１０２に上弦材２４への装着機能を付加することができる。このため、屋根面材１０２を只の板材ではなく、付加価値のあるパネル材（パネル化）にすることができる。その結果、対向して配置される一対の屋根トラス１０の上弦材２４間に跨る屋根パネルを形成することができ、その結果、工場生産による生産性向上及び品質管理性の向上並びに建築地での施工作業の容易化による施工性の向上、工期短縮を図ることができる。なお、図１１に示される例の場合、屋根面材１０２における位置決め金物１００の張り出し部１００Ｂ、１００Ｃと重なる位置には切欠部１０４が形成されている。
【００９２】
なお、上述した実施形態では、折り返し部１００Ｄ、１００Ｅに返し部１００Ｆ、１００Ｇを設けたが、必ずしも設ける必要はない。
【００９３】
〔第４実施形態〕
【００９４】
以下、図１２〜図１４を用いて、本発明に係る位置決め金物及びこれを用いた屋根面材の第４実施形態について説明する。なお、前述した第１実施形態等と同一構成部分については、同一番号を付してその説明を省略する。
【００９５】
これらの図に示されるように、この第４実施形態は、前述した第３実施形態のバリエーションであり、位置決め金物１１０が、本体部１１０Ａ、一対の張り出し部１１０Ｂ、１１０Ｃ、一対の折り返し部１１０Ｄ、１１０Ｅ、一対の返し部１１０Ｆ、１１０Ｇによって構成されている。従って、この位置決め金物１１０の場合、一対の折り返し部１１０Ｄ、１１０Ｅと本体部１１０Ａの上フランジ２４Ｂ及び下フランジ２４Ｃの端部との間に上弦材２４の上フランジ２４Ｂが嵌合されることにより、トラス間隔が調整される。
【００９６】
（作用・効果）
【００９７】
上記構成によれば、対向する屋根トラス１０の上弦材２４間に位置決め金物１１０を装着することにより、一対の屋根トラス１０のトラス間隔が調整される。但し、この実施形態の場合、２個一組とされる屋根トラス１０のトラス間隔の調整は位置決め金物１１０で直接的に調整されるが、２個目の屋根トラス１０と３個目の屋根トラス１０とのトラス間隔はこのままでは調整されない。従って、この実施形態の場合、上弦材２４側ですべてのトラス間隔を調整するのであれば、位置決め金物１１０を互い違いに装着することになる。また、上弦材２４側でのトラス間隔の調整は図１２図示の状態のままで終了とし、位置決め金物１１０が装着されない部分については、前述した第１実施形態及び第２実施形態の手法を使って下弦材２６側で行うというように、上弦材２４側でのトラス間隔の調整と下弦材２６側でのトラス間隔の調整とを適宜組み合わせるようにしてもよい。
【００９８】
以上より、この実施形態によっても、前述した第１実施形態と同様に、鋼材製の屋根トラス１０を所定のトラス間隔ｔで配置していく場合に、トラス間隔ｔの調整作業の容易化及び作業時間の短縮化の両立を図ることができる。
【００９９】
また、図１４に示されるように、屋根面材１１２の裏面の上端部及び下端部近傍に位置決め金物１１０を予め取り付けてパネル化することにより、前述した第３実施形態と同様に、屋根面材１１２に上弦材２４への装着機能を付加することができる。このため、屋根面材１１２を只の板材ではなく、付加価値のあるパネル材（パネル化）にすることができる。その結果、対向して配置される一対の屋根トラス１０の上弦材２４間に跨る屋根パネルを形成することができ、その結果、工場生産による生産性向上及び品質管理性の向上並びに建築地での施工作業の容易化による施工性の向上、工期短縮を図ることができる。
【０１００】
なお、この実施形態の場合は、図１４において真中の屋根面材（図示省略）については、位置決め金物１１０が裏面に取り付けられていない状態の屋根面材が隣り合う上弦材２４間に載置されて固定される。
【０１０１】
なお、上述した実施形態では、折り返し部１１０Ｄ、１１０Ｅに返し部１００Ｆ、１００Ｇを設けたが、必ずしも設ける必要はない。
【０１０２】
〔上記実施形態の補足説明〕
【０１０３】
上述した各実施形態では、スチールハウスを壁組工法で構築することを想定して説明したが、これに限らず、トラス工法による屋根組及び屋根構築方法を用いるものであればすべて適用可能である。
【図面の簡単な説明】
【０１０４】
【図１】第１実施形態に係るトラス足場兼用トラス繋ぎ材を装着する前の状態を示す要部拡大斜視図である。
【図２】図１に示されるトラス足場兼用トラス繋ぎ材が装着された状態を示す要部拡大斜視図である。
【図３】図２の３−３線断面図である。
【図４】対比例に係るトラス繋ぎ材を示す図２に対応する要部拡大斜視図である。
【図５】第１実施形態の効果を説明するための説明図であり、吊りハンガーを示す縦断面図である。
【図６】第２実施形態の第１例に係る転び止め金具を示す要部拡大斜視図である。
【図７】図６に示される転び止め金具の装着状態の側面図である。
【図８】第２実施形態の第２例に係る転び止め金具を示す斜視図であり、（Ａ）は転び止め金具を備えた位置決め金物の単体の斜視図であり、（Ｂ）は使用状態の斜視図である。
【図９】第３実施形態に係る位置決め金物を示す斜視図である。
【図１０】図９に示される位置決め金物の端部を拡大して示す斜視図である。
【図１１】図９に示される位置決め金物を屋根面材と一体化した構成を示す斜視図である。
【図１２】第４実施形態に係る位置決め金物を示す斜視図である。
【図１３】図１２に示される位置決め金物の端部を拡大して示す斜視図である。
【図１４】図１２に示される位置決め金物を屋根面材と一体化した構成を示す斜視図である。
【符号の説明】
【０１０５】
１０    屋根トラス
２２    頭繋ぎ（屋根載置面）
２４    上弦材
２６    下弦材
４０    トラス足場兼用トラス繋ぎ材
４２    トラス繋ぎ材
４２Ａ  ウェブ（梁部）
４２Ａ１ウェブの長手方向の一方の端部（係止部）
４２Ａ２ウェブの長手方向の他方の端部（係止部）
４２Ｂ  上フランジ（梁部）
４２Ｃ  下フランジ（梁部）
４２Ｆ  折り曲げ部（係止部）
４４    面材
４７    天井面材
４８    断熱材
７２    転び止め金物（転び止め手段）
８０    転び止め（転び止め手段）
１００  位置決め金物
１００Ｈ  倒れ防止片（トラス回転拘束手段）
１００Ｉ  倒れ防止片（トラス回転拘束手段）
１０２  屋根面材
１１０  位置決め金物
１１２  屋根面材
【図１】
2009174121.tif 000003
【図２】
2009174121.tif 000004
【図３】
2009174121.tif 000005
【図４】
2009174121.tif 000006
【図５】
2009174121.tif 000007
【図６】
2009174121.tif 000008
【図７】
2009174121.tif 000009
【図８】
2009174121.tif 000010
【図９】
2009174121.tif 000011
【図１０】
2009174121.tif 000012
【図１１】
2009174121.tif 000013
【図１２】
2009174121.tif 000014
【図１３】
2009174121.tif 000015
【図１４】
2009174121.tif 000016